【手続補正書】
【提出日】平成27年3月19日(2015.3.19)
【手続補正１】
【補正対象書類名】明細書
【補正対象項目名】発明の名称
【補正方法】変更
【補正の内容】
【発明の名称】情報処理装置および方法、プログラム、並びに記録媒体
【手続補正２】
【補正対象書類名】明細書
【補正対象項目名】０００１
【補正方法】変更
【補正の内容】
【０００１】
本発明は情報処理装置および方法、プログラム、並びに記録媒体に関し、特に、複数の通信プロトコルに対応するチップやカードなどで管理されているデータを更新する際などに用いて好適な情報処理装置および方法、プログラム、並びに記録媒体に関する。
【手続補正３】
【補正対象書類名】明細書
【補正対象項目名】００１８
【補正方法】変更
【補正の内容】
【００１８】
本技術の一側面の情報処理装置は、サービスを通信装置に登録するためのデータを作成し第１の通信方式で送信し、サービスの情報を前記通信装置に登録するためのデータを作成し、前記第１の通信方式と異なる第２の通信方式で送信する通信部と、前記通信装置に、前記サービスを登録するために、前記通信装置と行う通信の前記第１の通信方式と、登録する前記サービスの情報を登録するために、前記通信装置と行う通信の前記第２の通信方式を設定する設定部とを備え、前記設定部は、前記第１の通信方式を、第１の対象にアクセスする通信方式に設定し、前記第２の通信方式を、前記第１の対象と異なる第２の対象にアクセスする通信方式に設定する。
【手続補正４】
【補正対象書類名】明細書
【補正対象項目名】００１９
【補正方法】変更
【補正の内容】
【００１９】
前記設定部により、前記第１の通信方式が、前記第２の対象にアクセスする通信方式に設定された場合、前記通信部は、設定された第１の通信方式で用いられるパケットと、前記第１の対象に独自のコマンドとを関連付けたデータを生成し、送信するようにすることができる。
【手続補正５】
【補正対象書類名】明細書
【補正対象項目名】００２０
【補正方法】変更
【補正の内容】
【００２０】
前記設定部により、前記第１の通信方式が、前記第１の対象にアクセスする通信方式に設定された場合、前記通信部は、設定された第１の通信方式で用いられるパケットで、前記第１の対象に独自のコマンドをラッピングしたデータを生成し、送信するようにすることができる。
【手続補正６】
【補正対象書類名】明細書
【補正対象項目名】００２１
【補正方法】変更
【補正の内容】
【００２１】
前記設定部は、前記通信装置と通信を行えるか否かを通信方式毎に判断し、通信を行えると判断された通信方式の中から選択を行うようにすることができる。
【手続補正７】
【補正対象書類名】明細書
【補正対象項目名】００２２
【補正方法】変更
【補正の内容】
【００２２】
前記設定部は、複数の通信方式のうちの１つの通信方式を選択し、その通信方式で前記通信装置と通信が可能でなかったときは、他の通信方式を選択し直して、再度、前記通信装置と通信が行えるか否かを判断し、選択された通信方式で通信が可能となった時点で、その通信が可能となった通信方式を選択するようにすることができる。
【手続補正８】
【補正対象書類名】明細書
【補正対象項目名】００２３
【補正方法】変更
【補正の内容】
【００２３】
前記設定部は、複数の通信方式のうちの１つの通信方式を選択し、その通信方式で前記通信装置と通信が可能でなかったときは、他の通信方式を選択し直して、再度、前記通信装置と通信が行えるか否かを判断し、選択された通信方式で通信が可能となったとき、その通信方式で、前記通信装置と通信方式に関する情報交換を行い、その情報交換の結果を用いて通信方式を選択するようにすることができる。
【手続補正９】
【補正対象書類名】明細書
【補正対象項目名】００２４
【補正方法】変更
【補正の内容】
【００２４】
本技術の一側面の情報処理方法は、サービスを通信装置に登録するためのデータを作成し第１の通信方式で送信し、サービスの情報を前記通信装置に登録するためのデータを作成し、前記第１の通信方式と異なる第２の通信方式で送信し、前記通信装置に、前記サービスを登録するために、前記通信装置と行う通信の前記第１の通信方式と、登録する前記サービスの情報を登録するために、前記通信装置と行う通信の前記第２の通信方式を設定するステップを含み、前記設定は、前記第１の通信方式を、第１の対象にアクセスする通信方式に設定し、前記第２の通信方式を、前記第１の対象と異なる第２の対象にアクセスする通信方式に設定するステップを含む。
【手続補正１０】
【補正対象書類名】明細書
【補正対象項目名】００２５
【補正方法】変更
【補正の内容】
【００２５】
本技術の一側面のプログラムは、サービスを通信装置に登録するためのデータを作成し第１の通信方式で送信し、サービスの情報を前記通信装置に登録するためのデータを作成し、前記第１の通信方式と異なる第２の通信方式で送信し、前記通信装置に、前記サービスを登録するために、前記通信装置と行う通信の前記第１の通信方式と、登録する前記サービスの情報を登録するために、前記通信装置と行う通信の前記第２の通信方式を設定するステップを含み、前記設定は、前記第１の通信方式を、第１の対象にアクセスする通信方式に設定し、前記第２の通信方式を、前記第１の対象と異なる第２の対象にアクセスする通信方式に設定するステップを含む処理をコンピュータに実行させる。
【手続補正１１】
【補正対象書類名】明細書
【補正対象項目名】００２６
【補正方法】変更
【補正の内容】
【００２６】
本技術の一側面の記録媒体は、サービスを通信装置に登録するためのデータを作成し第１の通信方式で送信し、サービスの情報を前記通信装置に登録するためのデータを作成し、前記第１の通信方式と異なる第２の通信方式で送信し、前記通信装置に、前記サービスを登録するために、前記通信装置と行う通信の前記第１の通信方式と、登録する前記サービスの情報を登録するために、前記通信装置と行う通信の前記第２の通信方式を設定するステップを含み、前記設定は、前記第１の通信方式を、第１の対象にアクセスする通信方式に設定し、前記第２の通信方式を、前記第１の対象と異なる第２の対象にアクセスする通信方式に設定するステップを含む処理をコンピュータに実行させるためのプログラムを記録している。
【手続補正１２】
【補正対象書類名】明細書
【補正対象項目名】００２７
【補正方法】変更
【補正の内容】
【００２７】
本技術の一側面の情報処理装置および方法、プログラム、並びに記録媒体においては、サービスを通信装置に登録するためのデータが作成され第１の通信方式で送信され、サービスの情報を通信装置に登録するためのデータが作成され、第１の通信方式と異なる第２の通信方式で送信され、通信装置に、サービスを登録するために、通信装置と行う通信の第１の通信方式と、登録するサービスの情報を登録するために、通信装置と行う通信の第２の通信方式が設定される。設定は、第１の通信方式を、第１の対象にアクセスする通信方式に設定し、第２の通信方式を、第１の対象と異なる第２の対象にアクセスする通信方式に設定する。
【手続補正１３】
【補正対象書類名】特許請求の範囲
【補正対象項目名】全文
【補正方法】変更
【補正の内容】
【特許請求の範囲】
【請求項１】
サービスを通信装置に登録するためのデータを作成し第１の通信方式で送信し、サービスの情報を前記通信装置に登録するためのデータを作成し、前記第１の通信方式と異なる第２の通信方式で送信する通信部と、
前記通信装置に、前記サービスを登録するために、前記通信装置と行う通信の前記第１の通信方式と、登録する前記サービスの情報を登録するために、前記通信装置と行う通信の前記第２の通信方式を設定する設定部と
を備え、
前記設定部は、
前記第１の通信方式を、第１の対象にアクセスする通信方式に設定し、
前記第２の通信方式を、前記第１の対象と異なる第２の対象にアクセスする通信方式に設定する
情報処理装置。
【請求項２】
前記設定部により、前記第１の通信方式が、前記第２の対象にアクセスする通信方式に設定された場合、前記通信部は、設定された第１の通信方式で用いられるパケットと、前記第１の対象に独自のコマンドとを関連付けたデータを生成し、送信する
請求項１に記載の情報処理装置。
【請求項３】
前記設定部により、前記第１の通信方式が、前記第１の対象にアクセスする通信方式に設定された場合、前記通信部は、設定された第１の通信方式で用いられるパケットで、前記第１の対象に独自のコマンドをラッピングしたデータを生成し、送信する
請求項１に記載の情報処理装置。
【請求項４】
前記設定部は、前記通信装置と通信を行えるか否かを通信方式毎に判断し、通信を行えると判断された通信方式の中から選択を行う
請求項１に記載の情報処理装置。
【請求項５】
前記設定部は、複数の通信方式のうちの１つの通信方式を選択し、その通信方式で前記通信装置と通信が可能でなかったときは、他の通信方式を選択し直して、再度、前記通信装置と通信が行えるか否かを判断し、
選択された通信方式で通信が可能となった時点で、その通信が可能となった通信方式を選択する
請求項１に記載の情報処理装置。
【請求項６】
前記設定部は、複数の通信方式のうちの１つの通信方式を選択し、その通信方式で前記通信装置と通信が可能でなかったときは、他の通信方式を選択し直して、再度、前記通信装置と通信が行えるか否かを判断し、
選択された通信方式で通信が可能となったとき、その通信方式で、前記通信装置と通信方式に関する情報交換を行い、その情報交換の結果を用いて通信方式を選択する
請求項１に記載の情報処理装置。
【請求項７】
サービスを通信装置に登録するためのデータを作成し第１の通信方式で送信し、サービスの情報を前記通信装置に登録するためのデータを作成し、前記第１の通信方式と異なる第２の通信方式で送信し、
前記通信装置に、前記サービスを登録するために、前記通信装置と行う通信の前記第１の通信方式と、登録する前記サービスの情報を登録するために、前記通信装置と行う通信の前記第２の通信方式を設定する
ステップを含み、
前記設定は、
前記第１の通信方式を、第１の対象にアクセスする通信方式に設定し、
前記第２の通信方式を、前記第１の対象と異なる第２の対象にアクセスする通信方式に設定する
ステップを含む情報処理方法。
【請求項８】
サービスを通信装置に登録するためのデータを作成し第１の通信方式で送信し、サービスの情報を前記通信装置に登録するためのデータを作成し、前記第１の通信方式と異なる第２の通信方式で送信し、
前記通信装置に、前記サービスを登録するために、前記通信装置と行う通信の前記第１の通信方式と、登録する前記サービスの情報を登録するために、前記通信装置と行う通信の前記第２の通信方式を設定する
ステップを含み、
前記設定は、
前記第１の通信方式を、第１の対象にアクセスする通信方式に設定し、
前記第２の通信方式を、前記第１の対象と異なる第２の対象にアクセスする通信方式に設定する
ステップを含む処理をコンピュータに実行させるためのプログラム。
【請求項９】
サービスを通信装置に登録するためのデータを作成し第１の通信方式で送信し、サービスの情報を前記通信装置に登録するためのデータを作成し、前記第１の通信方式と異なる第２の通信方式で送信し、
前記通信装置に、前記サービスを登録するために、前記通信装置と行う通信の前記第１の通信方式と、登録する前記サービスの情報を登録するために、前記通信装置と行う通信の前記第２の通信方式を設定する
ステップを含み、
前記設定は、
前記第１の通信方式を、第１の対象にアクセスする通信方式に設定し、
前記第２の通信方式を、前記第１の対象と異なる第２の対象にアクセスする通信方式に設定する
ステップを含む処理をコンピュータに実行させるためのプログラムを記録している記録媒体。